(57)【要約】      （修正有）【課題】拡大された特定対象がモニタに表示される撮像装置において、撮影対象が撮影領域内からフレームアウトする恐れがあることを使用者に報知できる撮像装置を提供する。【解決手段】デジタルビデオカメラにおいて、被写体像を撮像することによってフレーム画像データを生成する撮像部と、フレーム画像データに基づくフレーム画像から切出し領域に含まれる切出し画像を切出すことによって切出し画像データを生成する切出し部と、切出し画像データに基づく前記切出し画像を順次表示することによってスルー画像を表示するモニタと、切出し領域がフレーム画像周辺の矩形環状領域と重なっている場合にスルー画像とともに警告画像Ｄを液晶モニタに表示させる警告部を備える。【選択図】図９
2011223565.tif 000002
【特許請求の範囲】
【請求項１】
被写体像を撮像することによってフレーム画像データを生成する撮像部と、
前記フレーム画像データに基づくフレーム画像から切出し領域に含まれる切出し画像を切出すことによって切出し画像データを生成する切出し部と、
前記切出し画像データに基づく前記切出し画像を順次表示することによってスルー画像を表示するモニタと、
前記切出し領域が前記フレーム画像の所定部分と重なっている場合に警告を発する警告部と、
を備える撮像装置。
【請求項２】
前記警告部は、前記スルー画像とともに警告画像を前記モニタに表示させる表示制御部である、
請求項１に記載の撮像装置。
【請求項３】
前記警告画像は、撮影方向の調整を指示する矢印である、
請求項２に記載の撮像装置。
【請求項４】
前記所定部分は、前記フレーム画像の外縁から所定間隔内の環状領域である、
請求項１乃至３のいずれかに記載の撮像装置。
【請求項５】
前記所定部分は、前記フレーム画像の外縁である、
請求項１乃至３のいずれかに記載の撮像装置。
【請求項６】
前記フレーム画像から特定対象の位置およびサイズを検出する特定対象検出部を備え、
前記切出し領域は、検出された前記特定対象を含む、
請求項１乃至５のいずれかに記載の撮像装置。
【請求項７】
前記特定対象の位置およびサイズに応じて、前記切出し領域の位置およびサイズを決定する切出し領域決定部をさらに備える、
請求項６に記載の撮像装置。
【請求項８】
前記切出し領域決定部は、前記特定対象の移動速度に応じて、決定された前記切出し領域のサイズを補正する、
請求項７に記載の撮像装置。
【請求項９】
前記フレーム画像データに基づいて、前記フレーム画像を縮小させた縮小フレーム画像に対応する縮小フレーム画像データを生成する縮小フレーム画像データ生成部を備え、
前記モニタは、前記スルー画像とともに前記縮小フレーム画像を表示する、
請求項１乃至８のいずれかに記載の撮像装置。
【発明の詳細な説明】
【技術分野】
【０００１】
本発明は、特定の撮影対象を拡大表示する撮像装置に関する。
【背景技術】
【０００２】
特許文献１では、撮像装置において、撮影領域のスルー画像から検出される特定の撮影対象（以下、「特定対象」という。例えば、人物の顔など。）をモニタに拡大表示する手法が提案されている。
【０００３】
この手法によれば、特定対象が撮影領域内に収められている限りは、自動的に拡大された特定対象を含む画像を表示及び取得することができる。
【先行技術文献】
【特許文献】
【０００４】
【特許文献１】特開２００９−１４７７２７号公報
【発明の概要】
【発明が解決しようとする課題】
【０００５】
しかしながら、上記特許文献１の手法では、拡大された特定対象がモニタに表示されるので、特定対象が撮影領域内からフレームアウトするおそれがあることを使用者が認識することは困難である。従って、特定対象が突然撮影領域からフレームアウトしてしまう恐れがある。
【０００６】
本発明は、特定対象が撮影領域からフレームアウトする恐れがあることを使用者に報知できる撮像装置を提供することを目的とする。
【課題を解決するための手段】
【０００７】
ここに開示される撮像装置は、被写体像を撮像することによってフレーム画像データを生成する撮像部と、フレーム画像データに基づくフレーム画像から切出し領域に含まれる切出し画像を切出すことによって切出し画像データを生成する切出し部と、切出し画像データに基づく前記切出し画像を順次表示することによってスルー画像を表示するモニタと、切出し領域がフレーム画像の所定部分と重なっている場合に警告を発する警告部と、を備える。
【発明の効果】
【０００８】
本発明によれば、撮影対象が撮影領域からフレームアウトする恐れがあることを使用者に報知できる撮像装置を提供できる。
【図面の簡単な説明】
【０００９】
【図１】第１実施形態に係るデジタルビデオカメラ１００の構成を示すブロック図
【図２】第１実施形態に係る画像処理部１９０の機能を示すブロック図
【図３】フレーム画像Ａを示す模式図
【図４】記録画像Ｂを示す模式図
【図５】表示画像Ｃを示す模式図
【図６】切出し領域Ｙと矩形環状領域Ｚを示す模式図
【図７】デジタルビデオカメラ１００の動作を説明するためのフローチャート
【図８】切出し領域Ｙと矩形環状領域Ｚを示す模式図
【図９】表示画像Ｃと警告画像Ｄを示す模式図
【図１０】第２実施形態に係る画像処理部１９０Ａの機能を示すブロック図
【図１１】表示画像Ｃと縮小フレーム画像Ｅを示す模式図
【図１２】表示画像Ｃと縮小フレーム画像Ｅと警告画像Ｄとを示す模式図
【発明を実施するための形態】
【００１０】
以下において、「撮像装置」の一例であるデジタルビデオカメラについて図面を参照しながら説明する。なお、ここに開示される技術は、デジタルビデオカメラに限定されず、静止画または動画記録機能を有する携帯電話やデジタルスチルカメラ等にも適用できる。
【００１１】
また、以下の説明において、「上」「下」「左」「右」とは、被写体に正対する横撮り姿勢のデジタルビデオカメラを基準とする用語である。なお、横撮り姿勢とは、撮像画像の長辺方向と撮像画像における水平方向とが一致する姿勢である。
〔１．第１実施形態〕
〔１−１．デジタルビデオカメラ１００の電気的構成〕
第１実施形態にかかるデジタルビデオカメラ１００の電気的構成について、図１を用いて説明する。図１は、デジタルビデオカメラ１００の構成を示すブロック図である。
【００１２】
デジタルビデオカメラ１００は、光学系１０５により形成された被写体像をＣＣＤイメージセンサー１８０（「撮像部」の一例）で撮像する。ＣＣＤイメージセンサー１８０で生成されるフレーム画像データは、画像処理部１９０で各種画像処理が施される。各種画像処理が施されたフレーム画像データに基づいて液晶モニタ２７０に“スルー画像”が表示され、各種画像処理が施されたフレーム画像データは、メモリカード２４０に格納される。“スルー画像”とは、後述する複数の表示画像Ｃ（図５参照）を順次表示することによって液晶モニタ２７０に映し出される動画である。このようなスルー画像は、使用者が被写体の構図を決めるために用いられる。スルー画像自体は、通常、メモリカード２４０に格納されない。
【００１３】
以下、デジタルビデオカメラ１００の構成を詳細に説明する。
【００１４】
光学系１０５は、ズームレンズ１１０、ＯＩＳ１４０、フォーカスレンズ１７０を含む。ズームレンズ１１０は、光学系１０５の光軸に沿って移動することにより、被写体像を拡大又は縮小可能である。また、フォーカスレンズ１７０は、光学系１０５の光軸に沿って移動することにより、被写体像のピントを調整する。ＯＩＳ１４０は、光軸に垂直な面内で移動可能な補正レンズを内蔵する。ＯＩＳ１４０は、デジタルビデオカメラ１００の振れを相殺する方向に補正レンズを駆動することにより、被写体像の振れを低減する。
【００１５】
検出器１２０は、ズームレンズ１１０の光軸上における位置を検出する。検出器１２０は、ズームレンズ１１０の光軸方向における移動に応じて、ブラシ等のスイッチによりズームレンズ１１０の位置を示す信号を出力する。ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。ＯＩＳアクチュエータ１５０は、ＯＩＳ１４０内の補正レンズを光軸に対して垂直な面内で駆動する。ＯＩＳアクチュエータ１５０は、平面コイルや超音波モータなどで実現できる。また、検出器１６０は、ＯＩＳ１４０が内蔵する補正レンズの移動量を検出する。
【００１６】
ＣＣＤイメージセンサー１８０は、光学系１０５で形成された被写体像を撮像することによって、フレーム画像データを時系列順に順次生成する。フレーム画像データは、後述するフレーム画像Ａ（図３参照）に対応する画像データである。ＣＣＤイメージセンサー１８０は、露光、転送、電子シャッタなどの各種動作を行う。
【００１７】
画像処理部１９０は、ＣＣＤイメージセンサー１８０で生成されたフレーム画像データに対して各種の画像処理を施す。具体的に、画像処理部１９０は、フレーム画像データに基づいて、液晶モニタ２７０に表示するための表示画像データを生成し、コントローラー２１０に出力する。画像処理部１９０は、メモリカード２４０に格納するための記録画像データを生成し、メモリ２００に出力する。また、画像処理部１９０は、フレーム画像データに対してガンマ補正やホワイトバランス補正、傷補正などの画像補正処理を行う。画像処理部１９０は、フレーム画像データに対して、Ｈ．２６４規格やＭＰＥＧ２規格に準拠した圧縮形式等によりフレーム画像データを圧縮する。画像処理部１９０は、ＤＳＰやマイコンなどで実現可能である。
【００１８】
コントローラー２１０は、デジタルビデオカメラ１００の全体を制御する制御手段である。本実施形態において、コントローラー２１０は、表示制御部２１５（「警告部」の一例）を有する。表示制御部２１５は、画像処理部１９０によって生成される表示画像データに対応する表示画像Ｃ（図５参照）を液晶モニタ２７０に順次表示させる。これによって、液晶モニタ２７０にスルー画像が表示される。また、表示制御部２１５は、後述する警告画像データに対応する警告画像Ｄ（図９参照）をスルー画像とともに液晶モニタ２７０に表示させる。また、コントローラー２１０は、後述する操作部材２５０が録画開始操作を受け付けた場合、メモリ２００に記録されている記録画像データをメモリカード２４０に記録する。このようなコントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００１９】
メモリ２００は、画像処理部１９０及びコントローラー２１０のワークメモリとして機能する。メモリ２００は、例えば、ＤＲＡＭ、強誘電体メモリなどで実現できる。
【００２０】
液晶モニタ２７０（「モニタ」の一例）は、画像処理部１９０によって生成される表示画像データに対応する表示画像Ｃや、メモリカード２４０から読み出される記録画像データに対応する記録画像Ｂ（図４参照）を表示可能である。本実施形形態において、液晶モニタ２７０は、表示画像Ｃ（横３２０画素×縦２４０画素）に対応する解像度を有している。そのため、記録画像Ｂ（横１９２０画素×縦１０８０画素）を液晶モニタ２７０に表示する際、記録画像Ｂには解像度を落とす処理が施される。また、液晶モニタ２７０は、警告画像Ｄをスルー画像とともに表示する。
【００２１】
ジャイロセンサー２２０は、圧電素子等の振動材で構成される。ジャイロセンサー２２０は、振動材を一定周波数で振動させコリオリ力による力を電圧に変換して角速度情報を得る。コントローラー２１０は、ジャイロセンサー２２０からの角速度情報に基づいて、デジタルビデオカメラ１００の揺れを相殺する方向にＯＩＳ１４０内の補正レンズを駆動させる。これにより、使用者による手振れが補正される。
【００２２】
カードスロット２３０は、メモリカード２４０を取付け又は取り外しするための差し込み口を有する。カードスロット２３０は、機械的及び電気的にメモリカード２４０と接続可能である。メモリカード２４０は、フラッシュメモリや強誘電体メモリなどを内部に含み、データを格納可能である。
【００２３】
内部メモリ２８０は、フラッシュメモリや強誘電体メモリなどで構成される。内部メモリ２８０は、デジタルビデオカメラ１００全体を制御するための制御プログラム等を格納する。
【００２４】
操作部材２５０は、使用者からの操作を受け付ける部材である。操作部材２５０は、被写体像を撮影する撮影モードと、記録画像データを再生する再生モードとの選択操作を受け付けるモード選択ボタンを含む。なお、撮影モードが選択された場合、液晶モニタ２７０にはスルー画像がリアルタイムに表示される。また、操作部材２５０は、録画開始操作および録画終了操作を受け付ける録画ボタンを含む。
【００２５】
ズームレバー２６０は、使用者からズーム倍率の変更指示を受け付ける部材である。
【００２６】
〔１−２．画像処理部１９０の機能〕
本実施形態に係る画像処理部１９０の主な機能について、図２〜図６を用いて説明する。図２は、画像処理部１９０の機能を示すブロック図である。図３〜図６は、画像処理部１９０において取得される各種画像データに対応する画像を示す模式図である。
【００２７】
画像処理部１９０は、フレーム画像データ取得部１９１と、顔検出部１９２と、切出し領域決定部１９３と、切出し部１９４と、記録画像データ生成部１９５と、表示画像データ生成部１９６と、判定部１９７と、警告画像データ生成部１９８と、を有する。
【００２８】
フレーム画像データ取得部１９１は、操作部材２５０において撮影モード選択操作が受け付けられたことを検出する。フレーム画像データ取得部１９１は、撮影モード選択操作の検出に応じて、ＣＣＤイメージセンサー１８０からフレーム画像データをリアルタイムに取得する。フレーム画像データ取得部１９１は、フレーム画像データを顔検出部１９２および切出し部１９４に出力する。
【００２９】
顔検出部１９２（「特定対象検出部」の一例）は、図３に示すように、フレーム画像データに対応するフレーム画像Ａから人物の顔Ｘ（「特定対象」の一例）の位置およびサイズを検出する。本実施形態に係るフレーム画像Ａは、横３０８４画素×縦２１６０画素のサイズを有するが、顔検出部１９２は、処理負荷の軽減を目的として、フレーム画像Ａの縮小画像を用いて顔Ｘの検出処理を行うことができる。
【００３０】
切出し領域決定部１９３は、図３に示すように、顔検出部１９２によって検出された人物の顔Ｘの位置およびサイズに基づいて、切出し領域Ｙの位置およびサイズを決定する。切出し領域決定部１９３は、例えば、人物の顔Ｘを取り囲む矩形領域ｙを縦横２倍することによって、切出し領域Ｙに決定できる。本実施形態に係る切出し領域Ｙは、横９６０画素×縦５４０画素のサイズを有している。
【００３１】
切出し部１９４は、フレーム画像Ａから切出し領域Ｙに含まれる切出し画像Ｐを切出すことによって、切出し画像Ｐに対応する切出し画像データを生成する。切出し部１９４は、切出し画像データを記録画像データ生成部１９５に出力する。
【００３２】
記録画像データ生成部１９５は、切出し画像データに基づいて記録画像データを生成する。図４に示すように、記録画像データに対応する記録画像Ｂは、横１９２０画素×縦１０８０画素のサイズを有している。すなわち、本実施形態において、記録画像Ｂは、切出し画像Ｐに縦横２倍の拡大処理が施された画像である。記録画像データ生成部１９５は、記録画像データを表示画像データ生成部１９６に出力する。また、記録画像データ生成部１９５は、操作部材２５０において録画開始操作が受け付けられたことを検出した場合、記録画像データをメモリ２００に格納する。
【００３３】
表示画像データ生成部１９６は、記録画像データに基づいて表示画像データを生成する。図５に示すように、表示画像データに対応する表示画像Ｃは、横３２０画素×縦２４０画素のサイズを有している。すなわち、表示画像Ｃは、記録画像Ｂに縮小処理が施された画像である。表示画像データ生成部１９６は、生成された表示画像データを表示制御部２１５に出力する。
【００３４】
判定部１９７は、図６に示すように、フレーム画像Ａにおいて切出し領域Ｙが矩形環状領域Ｚ（「フレーム画像Ａの所定部分」の一例、図６中においてハッチングされた領域）と重なっているか否かを判定する。本実施形態において、矩形環状領域Ｚは、フレーム画像Ａの外縁から所定間隔以内の領域である。判定部１９７は、切出し領域Ｙの一部のみが矩形環状領域Ｚと重なっている場合であっても、両者は重なっているものと判定する。すなわち、判定部１９７は、切出し領域Ｙの全体が矩形環状領域Ｚの内側に収まっていなければ、両者は重なっているものと判定する。判定部１９７は、切出し領域Ｙが矩形環状領域Ｚと重なっていると判定した場合、切出し領域Ｙが矩形環状領域Ｚの上下左右いずれにおいて重なっているかを警告画像データ生成部１９８に通知する。一方で、判定部１９７は、切出し領域Ｙが矩形環状領域Ｚと重なっていないと判定した場合、警告画像データ生成部１９８には何も通知しない。
【００３５】
警告画像データ生成部１９８は、判定部１９７の通知に応じて、撮影方向の変更を指示するための警告画像Ｄに対応する警告画像データを生成する。例えば、警告画像データ生成部１９８は、切出し領域Ｙが矩形環状領域Ｚの右側に重なっている旨の通知を受けた場合であれば、右矢印に対応する警告画像データを生成する。警告画像データ生成部１９８は、生成された警告画像データを表示制御部２１５に出力する。これに応じて、表示制御部２１５は、スルー画像とともに警告画像Ｄを液晶モニタ２７０に表示させる（図９参照）。
【００３６】
〔１−３．デジタルビデオカメラ１００の動作〕
次に、デジタルビデオカメラ１００の動作について、図７〜図９を用いて説明する。図７は、デジタルビデオカメラ１００の動作を説明するためのフローチャートである。図８は、切出し領域Ｙと矩形環状領域Ｚとの位置関係を示す模式図である。図９は、表示画像Ｃと警告画像Ｄを示す模式図である。
【００３７】
ステップＳ１００において、画像処理部１９０は、撮影モードの選択操作を検出する。
【００３８】
ステップＳ１１０において、画像処理部１９０は、フレーム画像データに対応するフレーム画像Ａから顔Ｘの位置およびサイズを検出する（図３参照）。
【００３９】
ステップＳ１２０において、画像処理部１９０は、顔Ｘの位置およびサイズに基づいて、切出し領域Ｙの位置およびサイズを決定する（図３参照）。
【００４０】
ステップＳ１３０において、画像処理部１９０は、フレーム画像Ａから切出し領域Ｙに含まれる切出し画像Ｐを切出す。
【００４１】
ステップＳ１４０において、画像処理部１９０は、切出し画像データに基づいて、記録画像Ｂに対応する記録画像データを生成する（図４参照）。
【００４２】
ステップＳ１５０において、画像処理部１９０は、録画開始操作を受け付けたか否かを判定する。録画開始操作が受け付けられている場合、処理はステップＳ１６０を介してステップＳ１７０に進む。録画開始操作が受け付けられていない場合、処理はステップＳ１７０に進む。
【００４３】
ステップＳ１６０において、画像処理部１９０は、記録画像データをメモリ２００に格納する。
【００４４】
ステップＳ１７０において、画像処理部１９０は、記録画像データに基づいて表示画像Ｃに対応する表示画像データを生成する（図５参照）。また、画像処理部１９０は、コントローラー２１０に表示画像データを出力する。
【００４５】
ステップＳ１８０において、画像処理部１９０は、フレーム画像Ａにおいて切出し領域Ｙが矩形環状領域Ｚと重なっているか否かを判定する。図８の時刻ｔ０に示すように、切出し領域Ｙが矩形環状領域Ｚと重なっていない場合、処理はステップＳ１９０に進む。図８の時刻ｔ１に示すように、切出し領域Ｙが矩形環状領域Ｚと重なっている場合、処理はステップＳ２００に進む。
【００４６】
ステップＳ１９０において、コントローラー２１０は、表示画像データに基づいてスルー画像を液晶モニタ２７０に表示させる。その後、処理はステップＳ１１０に戻る。
【００４７】
ステップＳ２００において、画像処理部１９０は、撮影方向の変更を指示する警告画像Ｄに対応する警告画像データを生成する。また、画像処理部１９０は、コントローラー２１０に警告画像データを出力する。
【００４８】
ステップＳ２１０において、コントローラー２１０は、表示画像データに警告画像データを重畳することによって重畳画像データを生成する。
【００４９】
ステップＳ２２０において、コントローラー２１０は、図９に示すように、重畳画像データに基づいて、スルー画像とともに警告画像Ｄを液晶モニタ２７０に表示させる。その後、処理はステップＳ１１０に戻る。
【００５０】
なお、本実施形態では、図８の時刻ｔ１に示すように、切出し領域Ｙが矩形環状領域Ｚの右部分と重なっているので、人物の顔Ｘがフレーム画像Ａの右にフレームアウトする可能性が高い。そのため、警告画像Ｄとして、撮影方向を右に調整することを指示する右矢印が選択されている。
【００５１】
〔１−４．作用及び効果〕
第１実施形態に係るデジタルビデオカメラ１００において、表示制御部２１５（「警告部」の一例）は、切出し領域Ｙが矩形環状領域Ｚ（「フレーム画像Ａの所定部分」の一例）と重なっている場合に、スルー画像とともに警告画像Ｄ（「警告」の一例）を液晶モニタ２７０に表示させる。
【００５２】
そのため、拡大ズーミング表示中であっても、液晶モニタ２７０に表示された表示画像Ｃにおいて顔Ｘがフレームアウトするおそれがあることを使用者に報知することができる。
〔２．第２実施形態〕
次に、第２実施形態に係るデジタルビデオカメラ１００Ａについて図面を参照しながら説明する。なお、以下においては、上記第１実施形態に係るデジタルビデオカメラ１００との相違点について主に説明する。
【００５３】
〔２−１．画像処理部１９０Ａの機能〕
本実施形態に係る画像処理部１９０Ａの主な機能について、図１０〜図１２を用いて説明する。図１０は、画像処理部１９０Ａの機能を示すブロック図である。図１１及び図１２は、画像処理部１９０において取得される画像データに対応する画像を示す模式図である。
【００５４】
画像処理部１９０Ａは、上記第１実施形態に係る画像処理部１９０の構成に加えて、縮小画像データ生成部１９９をさらに有する。
【００５５】
縮小画像データ生成部１９９は、フレーム画像データ取得部１９１からフレーム画像データを取得する。縮小画像データ生成部１９９は、フレーム画像データに基づいて、フレーム画像Ａを縮小させた縮小フレーム画像Ｅを示す縮小フレーム画像データを生成する。縮小画像データ生成部１９９は、縮小フレーム画像データを表示制御部２１５に出力する。
【００５６】
この場合、表示制御部２１５は、図１１に示すように、表示画像Ｃとともに縮小フレーム画像Ｅを液晶モニタ２７０に表示させる。また、表示制御部２１５は、図１２に示すように、警告画像データを取得した場合には、表示画像Ｃ及び縮小フレーム画像Ｅとともに警告画像Ｄを液晶モニタ２７０に表示させる。
【００５７】
〔２−２．作用及び効果〕
第２実施形態に係るデジタルビデオカメラ１００において、表示制御部２１５は、スルー画像とともに縮小フレーム画像Ｅを液晶モニタ２７０に表示させる。
【００５８】
そのため、使用者は、顔Ｘがフレームアウトするおそれがあることを縮小フレーム画像Ｅで事前に認識できるとともに、適切な撮影方向を縮小フレーム画像Ｅで確認することができる。
〔３．他の実施の形態〕
以上により、第１及び第２実施形態を説明したが、本発明は、これらには限定されない。そこで、本発明の他の実施の形態を本欄にまとめて説明する。
【００５９】
（Ａ）上記実施形態に係る光学系１０５は、ズームレンズ１１０、ＯＩＳ１４０およびフォーカスレンズ１７０によって構成されることとしたが、これに限られるものではない。光学系１０５は、１つ又は２つのレンズで構成されていてもよいし、４つ以上のレンズで構成されていてもよい。
【００６０】
（Ｂ）また、上記実施形態では、撮像部としてＣＣＤイメージセンサー１８０を例示したが、これに限られるものではない。撮像部としては、例えば、ＣＭＯＳイメージセンサーやＮＭＯＳイメージセンサーを用いることができる。
【００６１】
（Ｃ）また、上記実施形態では、記録メディアとしてメモリカードを例示したが、これに限られるものではない。記録メディアとしては、例えばフラッシュメモリやハードディスク、その他記録可能な周知のメディアを用いることができる。
【００６２】
（Ｄ）また、上記実施形態では、表示部として液晶モニタ２７０を例示したが、これに限られるものではない。表示部としては、例えばＥＶＦ（Ｅｌｅｃｔｒｉｃａｌ  Ｖｉｅｗ  Ｆｉｎｄｅｒ）や有機ＥＬディスプレイ、その他表示可能な周知のモニタを用いることができる。
【００６３】
（Ｅ）また、上記実施形態では、特定対象を人物の顔Ｘに設定することしたが、これに限られるものではない。特定対象は、例えば、人物全体、特定の個人、ペットなどの動物、或いは何らかのオブジェクトに設定することができる。また、デジタルビデオカメラがタッチパネルを有する場合には、使用者がタッチパネルインターフェース上で指定する人物、動物、或いはオブジェクトを特定対象とすることができる。
【００６４】
（Ｆ）また、上記実施形態に係る切出し領域決定部１９３は、人物の顔Ｘを取り囲む矩形領域ｙを縦横２倍することによって切出し領域Ｙを決定することとしたが、これに限られるものではない。切出し領域決定部１９３は、顔Ｘの位置を切出し領域Ｙの中心として、顔ＸのサイズのＭ（Ｍ＞０）倍の領域を切出し領域Ｙに決定してもよい。この場合、Ｍが比較的小さな値のときは記録画像Ｂにおいて顔Ｘが占める割合が比較的大きくなる。一方で、Ｍが比較的大きな値のときは記録画像Ｂにおいて顔Ｘが占める割合は比較的小さくなるとともに顔Ｘの周囲の画像が比較的多く含まれることになる。なお、以上のことは、特定対象が、人物、特定の個人、動物、或いはオブジェクトであっても同様である。
【００６５】
（Ｇ）また、上記実施形態では、警告画像の一例として、撮影方向の調整を指示する警告画像Ｄを例示したが、これに限られるものではない。警告画像は、使用者に撮影方向の変更および変更するべき新たな方向を通知できればよく、例えば「右」、「左」、「上」、「下」などの文字や文章であってもよい。また、デジタルビデオカメラがスピーカを有する場合には、警告画像に代えて警告音を発することとしてもよい。この場合、コントローラーは、警告部としての音声制御部を備えていればよい。また、デジタルビデオカメラがＬＥＤなどの発光装置を有する場合には、警告画像に代えて警告光を発することとしてもよい。この場合、コントローラーは、警告部としての発光制御部を備えていればよい。
【００６６】
（Ｈ）また、上記実施形態では特に触れていないが、切出し領域決定部１９３は、特定対象の移動速度に応じて、切出し領域Ｙを補正してもよい。この場合、特定対象の移動速度が比較的遅い対象の場合は切出し領域Ｙを小さく補正し、比較的速い場合は切出し領域Ｙを大きく補正すればよい。切出し領域Ｙを小さくすると警告画像Ｄの表示開始からフレームアウトまでの余裕時間が少なくなるが、移動速度が遅いのであれば間に合う可能性は高い。逆に、特定対象の移動速度が速い場合は、切出し領域Ｙを大きくすればフレームアウトするまでの余裕時間が多くなる。
【００６７】
（Ｉ）また、上記実施形態では、フレーム画像Ａの所定部分の一例として、矩形環状領域Ｚを例示したが、これに限られるものではない。所定部分の形状やサイズは任意に設定することができる。また、所定部分は、フレーム画像Ａの外縁であってもよい。この場合、切出し領域Ｙがフレーム画像Ａの長方形枠を超えたとき、すなわち、切出し領域Ｙの一部がフレームアウトしたときに、警告画像が表示される。この場合であっても、切出し領域Ｙを大きく設定してあれば、顔Ｘがフレームアウトする前に使用者は撮影方向を調整することができる。
【００６８】
（Ｊ）また、上記実施形態では、デジタルビデオカメラは、フレーム画像データを記憶しないこととしたが、フレーム画像データを記憶してもよい。さらに、デジタルビデオカメラは、フレーム画像Ａにおける切出し領域Ｙの位置座標を示す位置座標データを、フレーム画像データと対応づけて記憶してもよい。この場合には、位置座標データを用いることによって、再生画像上でズームアウト又はズームインできる。そのため、精度良く顔Ｘが検出されなかった場合であっても、再生モードにおいて手動で顔Ｘにズームインできる。
【００６９】
（Ｋ）また、上記実施形態において、切出し画像Ｐは、横９６０画素×縦５４０画素のサイズを有するのに対して、記録画像Ｂは、横１９２０画素×縦１０８０画素のサイズを有する。すなわち、記録画像データ生成部１９５は、切出し画像データに補間処理を施すことによって記録画像データを取得しているが、これに限られるものではない。記録画像データ生成部１９５は、切出し画像データに間引き処理を施すことによって記録画像データを取得してもよい。この際、記録画像Ｂの解像度は、切出し画像Ｐの解像度よりも低くなる。
【００７０】
同様に、上記実施形態において、記録画像Ｂは、横１９２０画素×縦１０８０画素のサイズを有するのに対して、表示画像Ｃは、横３２０画素×縦２４０画素のサイズを有する。すなわち、表示画像データ生成部１９６は、記録画像データに間引き処理を施すことによって表示画像データを取得しているが、これに限られるものではない。表示画像データ生成部１９６は、記録画像データに補間処理を施すことによって表示画像データを取得してもよい。この際、表示画像Ｃの解像度は、記録画像Ｂの解像度よりも高くなる。
【００７１】
このように、上記実施形態において示した各画像の解像度は一例にすぎず、ＣＣＤイメージセンサー１８０、モニタ２７０、或いは外部ディスプレイなどの解像度に応じて適宜設定することができる。従って、記録画像Ｂ及び表示画像Ｃそれぞれの解像度は、切出し画像Ｐの解像度と同じであってもよい。その場合には、切出し画像データが記録画像データ及び表示画像データとしてそのまま用いることができる。
【００７２】
（Ｌ）また、上記実施形態において、切出し部１９４は、フレーム画像Ａから切出し画像Ｐを切出すこととしたが、これに限られるものではない。切出し部１９４は、フレーム画像データに画像処理を施すことによって得られる画像（例えば、拡大処理が施されたフレーム画像Ａや縮小処理が施されたフレーム画像Ａなど）から切出し画像Ｐを切出してもよい。
【００７３】
（Ｍ）また、上記実施形態において、表示画像データは、切出し画像データに基づいて生成される記録画像データに処理を施すことによって生成されることとしたが、これに限られるものではない。表示画像データは、切出し画像データに基づいて生成されていればよい。従って、表示画像Ｃは、切出し画像データに基づいて表示される画像であればよい。
〔４．付記〕
（１）
被写体像を撮像することによって複数のフレーム画像データを生成する撮像部と、
前記複数のフレーム画像データに基づく複数のフレーム画像それぞれから切出し領域を切出すことによって複数の切出し画像データを生成する切出し部と、
前記複数の切出し画像データに基づくスルー画像を表示するモニタと、
前記切出し領域が前記複数のフレーム画像それぞれの所定部分と重なっている場合に警告を発する警告部と、
を備える撮像装置。
【００７４】
（２）
前記警告部は、前記スルー画像とともに警告画像を前記モニタに表示させる表示制御部である、
請求項１に記載の撮像装置。
【００７５】
（３）
前記警告画像は、撮影方向の調整を指示する矢印である、
請求項２に記載の撮像装置。
【００７６】
（４）
前記所定部分は、前記複数のフレーム画像それぞれの外縁から所定間隔内の環状領域である、
請求項１乃至３のいずれかに記載の撮像装置。
【００７７】
（５）
前記所定部分は、前記複数のフレーム画像それぞれの外縁である、
請求項１乃至３のいずれかに記載の撮像装置。
【００７８】
（６）
前記複数のフレーム画像それぞれから特定対象の位置およびサイズを検出する特定対象検出部を備え、
前記切出し領域は、検出された前記特定対象を含む、
請求項１乃至５のいずれかに記載の撮像装置。
【００７９】
（７）
前記特定対象の位置およびサイズに応じて、前記切出し領域の位置およびサイズを決定する切出し領域決定部をさらに備える、
請求項６に記載の撮像装置。
【００８０】
（８）
前記切出し領域決定部は、前記特定対象の移動速度に応じて、決定された前記切出し領域のサイズを補正する、
請求項７に記載の撮像装置。
【００８１】
（９）
前記複数のフレーム画像データに基づいて、前記複数のフレーム画像それぞれを縮小させた複数の縮小フレーム画像に対応する複数の縮小フレーム画像データを生成する縮小フレーム画像データ生成部を備え、
前記モニタは、前記スルー画像とともに前記複数の縮小フレーム画像データに基づく前記複数の縮小フレーム画像を表示する、
請求項１乃至８のいずれかに記載の撮像装置。
【産業上の利用可能性】
【００８２】
本発明は、特定対象が撮影領域からフレームアウトする恐れがあることを使用者に報知できるので、デジタルビデオカメラやデジタルスチルカメラ等の撮像装置に適用できる。
【符号の説明】
【００８３】
１００  デジタルビデオカメラ
１０５  光学系
１１０  ズームレンズ
１２０  検出器
１３０  ズームモータ
１４０  ＯＩＳ
１５０  ＯＩＳアクチュエータ
１６０  検出器
１７０  フォーカスレンズ
１８０  ＣＣＤイメージセンサー
１９０  画像処理部
１９１  フレーム画像データ取得部
１９２  顔検出部
１９３  切出し領域決定部
１９４  切出し部
１９５  記録画像データ生成部
１９６  表示画像データ生成部
１９７  判定部
１９８  警告画像データ生成部
１９９  縮小フレーム画像データ生成部
２００  メモリ
２１０  コントローラー
２１５  表示制御部
２２０  ジャイロセンサー
２３０  カードスロット
２４０  メモリカード
２５０  操作部材
２６０  ズームレバー
２７０  液晶モニタ
２８０  内部メモリ
【図１】
2011223565.tif 000003
【図２】
2011223565.tif 000004
【図７】
2011223565.tif 000005
【図９】
2011223565.tif 000006
【図１０】
2011223565.tif 000007
【図３】
2011223565.tif 000008
【図４】
2011223565.tif 000009
【図５】
2011223565.tif 000010
【図６】
2011223565.tif 000011
【図８】
2011223565.tif 000012
【図１１】
2011223565.tif 000013
【図１２】
2011223565.tif 000014